(57)【要約】【課題】パターン形成方法として反転オフセット印刷法を用いた場合において、欠陥を生じ難く、連続的に高精細パターンを印刷可能な印刷版及びその製造方法を提供する。【解決手段】本開示における印刷用版は、反転オフセット印刷に用いられるものであって、少なくとも印刷用版の凸部の表面に三角形の断面を有する複数の凸条が並列に設けられており、凸条の一方の斜面が撥インキ性であり、他方の斜面が親インキ性である。この印刷用版により、ブランケットから除去したインキの剥離を容易にし、連続印刷時に必要な除去版を少なくすることが可能となる。【選択図】図１
2015189163.tif 000002
【特許請求の範囲】
【請求項１】
反転オフセット印刷に用いられる印刷用版であって、
少なくとも前記印刷用版の凸部の表面に三角形の断面を有する複数の凸条が並列に設けられており、
前記凸条の一方の斜面が撥インキ性であり、他方の斜面が親インキ性であることを特徴とする、印刷用版。
【請求項２】
支持基材に、前記凸部を構成する樹脂層が積層されていることを特徴とする、請求項１に記載の印刷用版。
【請求項３】
前記樹脂層が紫外線硬化樹脂よりなることを特徴とする、請求項２に記載の印刷用版。
【請求項４】
前記支持基材と前記樹脂層との間に粘着剤が介在していることを特徴とする、請求項２または請求項３に記載の印刷用版。
【請求項５】
前記支持基材がガラスまたは透明樹脂であることを特徴とする、請求項２〜４のいずれかに記載の印刷用版。
【請求項６】
前記樹脂層が熱可塑性樹脂よりなることを特徴とする、請求項２に記載の印刷用版。
【請求項７】
請求項１に記載の印刷用版の製造方法であって、
表面に凹部及び凸部が設けられると共に、前記凹部の底部に三角形の断面を有する複数の溝が並列に設けられる金型に紫外線硬化樹脂を塗工して硬化させることにより、表面に三角形の断面を有する複数の凸条が並列に設けられた凸部を形成し、前記凸条の各々の一方の斜面を撥インキ性とし、他方の斜面を親インキ性とすることを特徴とする、印刷用版の製造方法。
【請求項８】
請求項１に記載の印刷用版の製造方法であって、
表面に三角形の断面を有する複数の溝が並列に設けられる金型に紫外線硬化樹脂を塗工し、前記紫外線硬化樹脂の一部に選択的に紫外線を照射して当該一部を硬化させることにより、表面に三角形の断面を有する複数の凸条が並列に設けられた凸部を形成し、前記凸条の各々の一方の斜面を撥インキ性とし、他方の斜面を親インキ性とすることを特徴とする、印刷用版の製造方法。
【請求項９】
請求項１に記載の印刷用版の製造方法であって、
表面に凹部及び凸部が設けられると共に、前記凹部の底部に三角形の断面を有する複数の溝が並列に設けられる金型を加熱して、熱可塑性樹脂に押し当てることにより、表面に三角形の断面を有する複数の凸条が並列に設けられた凸部を形成し、前記凸条の各々の一方の斜面を撥インキ性とし、他方の斜面を親インキ性とすることを特徴とする、印刷用版の製造方法。
【発明の詳細な説明】
【技術分野】
【０００１】
本発明は、反転オフセット印刷用の印刷用版およびその製造方法に関する。さらに詳しくは、連続印刷性に優れた印刷用版の製造方法に関する。
【背景技術】
【０００２】
近年、フレキシブル化、軽量化、低コスト化などの観点から、印刷法により電子部品が備える配線や絶縁層などのパターンを形成することが試みられている。印刷法のなかでも、微細なパターンを形成可能な印刷法として、反転オフセット印刷法が挙げられる（例えば、特許文献１参照）。
【０００３】
反転オフセット印刷法は、まず、使用するインキに対して適度な剥離性表面を有するブランケット上にインキを塗工し、ブランケット上のインキを予備乾燥により半乾燥状態にし、次に、非画線部に対応する部分が凸部になった版（以下、除去版）をブランケット上のインキに押し当ててから引き離し、ブランケット上のインキを除去版に転移させることでブランケットから除去し、そして、ブランケット上に残された画線部に対応するインキのパターンを被印刷基板に転写することにより所望のパターンを得る印刷方法である。
【０００４】
反転オフセット印刷法では、ブランケット上からのインキの除去及び、被印刷基板へのインキの転写が半乾燥状態にてなされるため、インキの流動が制約されるので高い解像性を得られることが特徴である。
【０００５】
この反転オフセット印刷法にて欠陥無く被印刷基板へインキを転写させるためには、ブランケット上から除去版の非画線部に相当する凸部へと完全にインキが転写され、且つ画線部に相当する凹部にはインキが転写されてはならない。
【０００６】
例えば反転オフセット印刷法により配線形成を行う場合、ブランケット上から非画線部に相当する除去版の凸部へとインキが転写されない箇所があれば、当該箇所により配線間の短絡が生じ、画線部に相当する除去版の凹部へとインキが転写された箇所があれば、当該箇所により配線の断線が生じるため、電気的な欠陥を引き起こす原因となる。
【０００７】
除去版によるブランケット上のインキ除去を正確に行なうために、除去版の凸部を親インキ部、凹部を撥インキ部とする方法が提案されている（例えば、特許文献２参照）。この方法には、親インキ性の凸部には容易にインキが転写され、撥インキ性の凹部にはインキが転写され難くなるという利点がある。
【０００８】
しかしながら、連続印刷を考えた場合、同一除去版を連続して使用すると、２回目以降のブランケット上からのインキ除去は、除去版の凸部にインキが堆積した状態でインキ除去を行なうことになる。除去版の凸部の表面状態は初期の均一な状態と比較すると、不安定な状態に変化していく。インキの特性にもよるが、乾燥した膜の濡れ性が初期状態よりも濡れ難い場合は、ブランケットからのインキ除去不良を引き起こす要因となる。
【０００９】
常にブランケットからのインキ除去後に、除去版の凸部に堆積したインキを除去してから、再度ブランケットからのインキ除去を行なうようにすれば、除去版凸部の表面状態が常に同じ状態でブランケットからのインキ除去を行なうことができる。ただし、除去版凸部に堆積したインキ除去が容易ではなければ、連続印刷を行なう場合に除去版を多数用意する必要があり、製造コストが増えるという問題点があった。
【先行技術文献】
【特許文献】
【００１０】
【特許文献１】特開２０００−２８９３２０号公報
【特許文献２】特開２０１０−１１０９５３号公報
【発明の概要】
【発明が解決しようとする課題】
【００１１】
本発明は、上記問題に鑑みてなされたものであり、パターン形成方法として反転オフセット印刷法を用いた場合において、欠陥を生じ難く、連続的に高精細パターンを印刷可能な印刷版及びその製造方法を提供することを目的とするものである。
【課題を解決するための手段】
【００１２】
本発明に係る印刷用版は、反転オフセット印刷に用いられるものであって、少なくとも印刷用版の凸部の表面に三角形の断面を有する複数の凸条が並列に設けられており、凸条の一方の斜面が撥インキ性であり、他方の斜面が親インキ性であることを特徴とする。
【００１３】
支持基材に、凸部を構成する樹脂層が積層されていてもよい。
【００１４】
樹脂層が紫外線硬化樹脂より構成されてもよい。
【００１５】
支持基材と樹脂層との間に粘着剤が介在していてもよい。
【００１６】
支持基材がガラスまたは透明樹脂であってもよい。
【００１７】
樹脂層が熱可塑性樹脂より構成されてもよい。
【００１８】
また、本発明に係る印刷用版の製造方法は、表面に凹部及び凸部が設けられると共に、凹部の底部に三角形の断面を有する複数の溝が並列に設けられる金型に紫外線硬化樹脂を塗工して硬化させることにより、表面に三角形の断面を有する複数の凸条が並列に設けられた凸部を形成し、凸条の各々の一方の斜面を撥インキ性とし、他方の斜面を親インキ性とすることを特徴とする。
【００１９】
あるいは、本発明に係る印刷用版の製造方法は、表面に三角形の断面を有する複数の溝が並列に設けられる金型に紫外線硬化樹脂を塗工し、紫外線硬化樹脂の一部に選択的に紫外線を照射して当該一部を硬化させることにより、表面に三角形の断面を有する複数の凸条が並列に設けられた凸部を形成し、凸条の各々の一方の斜面を撥インキ性とし、他方の斜面を親インキ性とするものであってもよい。
【００２０】
あるいは、本発明に係る印刷用版の製造方法は、表面に凹部及び凸部が設けられると共に、凹部の底部に三角形の断面を有する複数の溝が並列に設けられる金型を加熱して、熱可塑性樹脂に押し当てることにより、表面に三角形の断面を有する複数の凸条が並列に設けられた凸部を形成し、凸条の各々の一方の斜面を撥インキ性とし、他方の斜面を親インキ性とすることを特徴とするものであってもよい。
【発明の効果】
【００２１】
本発明によれば、パターン形成方法として反転オフセット印刷法を用いた場合において、欠陥を生じ難く、連続的に高精細パターンを印刷可能な印刷版及びその製造方法を提供することができる。
【図面の簡単な説明】
【００２２】
【図１】実施の形態に係る印刷用版の構造を示す断面図
【図２】実施例１に係る金型の製造方法を示す断面図
【図３】実施例１に係る印刷用版の製造方法を示す断面図
【図４】実施例２に係る印刷用版の製造方法を示す断面図
【図５】実施例３に係る印刷用版の製造方法を示す断面図
【図６】比較例に係る印刷用版の製造方法を示す断面図
【発明を実施するための形態】
【００２３】
まず、実施の形態として、印刷版及びその製造方法の概要を説明する。
【００２４】
本実施の形態に係る印刷用版は、反転オフセット印刷に用いられるものであって、表面に凹部及び凸部を有しており、その凸部をブランケット上のインキに押し当ててから引き離すことにより、ブランケットからインキを除去するものである。
【００２５】
この印刷用版において、少なくともその最表面の凹凸面が樹脂で形成されている。なお、本実施の形態に係る印刷用版は、その全体が樹脂から構成されていてもよいし、任意の支持基材に樹脂が積層されているものでもよい。
【００２６】
そして、本実施の形態に係る印刷用版の凸部の表面には、三角プリズム状の複数の凸条が形成されており、三角プリズム状の凸条の一方の斜面の全体は撥インキ性となっており、もう一方の斜面の全体は親インキ性となっている。また、印刷用版の表面の凹部は撥インキ性になっていてもよい。
【００２７】
本実施の形態に係る印刷用版は、以下の方法により得ることができる。
【００２８】
第１の方法として、凹部及び凸部と、凹部の底部に三角プリズム状の複数の凸条（断面が三角形の溝）とが設けられた金型に紫外線硬化樹脂を流し込み、支持基材を紫外線硬化樹脂の表面に密着させて、紫外線を照射して樹脂を硬化させた後、金型から紫外線硬化樹脂と支持基材との積層物を剥離させることによって形成することができる。
【００２９】
第２の方法として、凹部及び凸部と、凹部の底部に三角プリズム状の複数の凸条（断面が三角形の溝）とが設けられた金型に、紫外線硬化樹脂を流し込み、紫外線を照射して樹脂を硬化させた後、粘着剤を介して支持基材と積層することによって、印刷用版を形成してもよい。
【００３０】
第３の方法として、熱可塑性樹脂を支持基材に予め積層しておき、凹部及び凸部と、凹部の底部に三角プリズム状の複数の凸条（断面が三角形の溝）とが設けられた金型に熱可塑性樹脂層を押し付けることによって、印刷用版を形成してもよい。
【００３１】
第４の方法として、熱可塑性樹脂を、凹部及び凸部と、凹部の底部に三角プリズム状の複数の凸条（断面が三角形の溝）とが設けられた金型に押し付けた後、粘着剤を介して支持基材と積層することによって、印刷用版を形成してもよい。
【００３２】
上記の第１の方法により印刷用版を形成する場合、支持基材側から紫外線を照射して樹脂を硬化させるために、支持基材は透明である（すなわち、紫外線の透過性を有する）必要がある。透明な支持基材としては、ガラスや、透明な樹脂、例えばポリエチレンナフタレート（ＰＥＮ）やポリエーテルサルフォン（ＰＥＳ）やポリカーボネート（ＰＣ）などを用いることが好ましい。透明な支持基材側から紫外線光を照射することにより、紫外線硬化樹脂の硬化と共に、紫外線硬化樹脂と支持基材との接着を行うことができる。
【００３３】
また、上記の第２〜第４の方法により印刷用版を形成する場合、支持基材として用いる材料は特に限定されるものではなく、ガラスやステンレス基材、ポリイミドやポリエチレンナフタレート（ＰＥＮ）などのフィルム基材を用いることが出来るが、寸法安定性などの観点からガラスやステンレス基材を用いることが好ましい。
【００３４】
また、上記の第３及び第４の方法により印刷用版を形成する場合、熱可塑性樹脂として、ポリエチレンやポリプロピレン、ポリスチレン、ナイロン、ポリエチレンテレフタレートなどのフィルム材料を用いることができる。
【００３５】
また、本実施の形態に係る印刷用版の製造方法において、粘着剤として用いる材料は特に限定されるものではないが、アクリル系粘着剤やシリコーン系粘着剤、ウレタン系粘着剤、ポリイミド系粘着剤などを用いることができる。特に支持基材と粘着剤を再利用可能にする場合にはアクリル系粘着剤を用いることが好ましい。
【００３６】
本実施の形態に係る印刷用版において、凸部表面に設けられる三角プリズム状の凸条の一方の斜面を撥インキ性とし、もう一方の斜面を親インキ性にするためには、印刷用版のうち、少なくとも凸部表面に設けた凹凸面全体を撥インキ性にした後、レーザ光を三角プリズム状の凸条の一方の斜面に照射することで、当該斜面のみを撥液性を失活させて、親インキ性に改質する。撥インキ性にする際には、凸部表面に設けた凹凸面全体のみを撥インキ性にする代わりに、印刷用版の凹部及び凸部の表面全体を撥インキ性にしてもよい。
【００３７】
本実施の形態に係る印刷用版において、撥インキ性を付与する方法としては、シリコーンやシランカップリング材を用いた化学的処理、フッ素プラズマなどの物理的処理などが挙げられる。または、凹凸面を形成する樹脂として、撥インキ性を有する樹脂を用いても良い。撥インキ性を有する樹脂により凸部を形成する場合においても、凸部表面に形成された凸条の一方の斜面の撥インキ性を失活させることによって、当該一方の斜面を親インキ性とすることができる。撥インキ性を有する樹脂の撥インキ性を失活させる方法としては、例えば、紫外線照射を利用できる。
【００３８】
本実施の形態に係る印刷用版の凸部でブランケットより除去したインキは、粘着ローラを用いて容易に印刷用版の凸部から除去することができるため、印刷用版を連続して使用することが可能となる。
【実施例】
【００３９】
以下、本発明を具体的に実施した実施例及び比較例について、図面を参照して説明する。以下、参照する図面は、説明を判り易くするために縮尺は正確には描かれていない。なお、各図において、同一構成要素には同一符号を付けている。
【００４０】
（実施例１）
＜１．印刷版の構成＞
図１（ａ）は、実施例１に係る印刷版の構造を示す断面図であり、図１（ｂ）は、図１（ａ）に示すＸ部の拡大図である。
【００４１】
本実施例に係る印刷用版１３は、支持基材１２と、粘着剤１１を介して支持基材１２上に設けられる樹脂層１０とを備える。樹脂層１０の表面には、非画線部に対応する凸部４と、画線部に対応する凹部５とが形成されている。少なくとも凸部４の最表面には、樹脂よりなる凹凸面６が形成されている。図１（ｂ）に示すように、凸部４の表面の凹凸面６は、断面が三角形の複数の凸条７を並列に設けることによって形成されている。
【００４２】
＜２．印刷版の製造に用いる金型の製造方法＞
図２は、実施例１に係る金型の製造方法を示す断面図である。
【００４３】
まず、図２（ａ）に示すように、金属板の表面を切削加工してプリズムシート金型２０を形成する。より詳細には、金属板の表面に断面が三角形である複数の溝を並列に形成することによって、プリズムシート金型２０の表面に、断面が三角形の複数の凸条を有する凹凸面が形成される。次に、図２（ｂ）に示すように、プリズムシート金型２０の凹凸面に無電解ニッケルめっきを行ない、印刷用版の凸部に対応する部分にめっきレジスト２１を形成する。次に、図２（ｃ）に示すように、電界ニッケルめっきによりニッケルめっき２２を形成する。その後、図２（ｄ）に示すように、めっきレジスト２１を剥離することにより、金型２３を得る。
【００４４】
図３は、実施例１に係る印刷版の製造方法を示す断面図である。まず、図３（ａ）及び（ｂ）に示すように、金型２３に紫外線硬化樹脂３０を塗工する。次に、図３（ｃ）に示すように、紫外線硬化樹脂３０に紫外線を照射して硬化させる。次に、図３（ｄ）に示すように、硬化後の紫外線硬化樹脂３０に粘着剤１１を塗布または貼り付け、図３（ｅ）に示すように、紫外線硬化樹脂３０に支持基材１２を貼り付ける。その後、図３（ｅ）に示すように、金型２３から樹脂層１０を剥離させる。以上の工程を経て、樹脂層１０（紫外線硬化樹脂３０）の表面に所望の凹凸パターンを構成する凸部４及び凹部５を形成すると共に、凸部４の表面に断面が三角形である複数の凸条７よりなる凹凸面６を形成する。
【００４５】
次に、樹脂層１０の表面に、シランカップリング剤を用いて撥インキ処理を行なう。シランカップリング剤には、撥水性や撥油性の高いフッ素やシロキサン基が含むものが好ましく、例えば、長鎖フルオロアルキルシラン、加水分解性基含有シロキサン、フルオロアルキル基含有オリゴマーなどが挙げられる。
【００４６】
樹脂層１０の表面を撥インキ性にした後、図１（ｂ）に示すＡ面もしくはＢ面のいずれか一方側からレーザ光を照射して、表面の撥インキ性を失活させることにより、Ａ面もしくはＢ面のいずれか一方を親インキ性にする。凸部４の表面の凸条の断面が三角形であるため、レーザ光が照射された斜面（例えば、Ａ面）は親インキ性となるが、反対側の斜面（例えば、Ｂ面）には紫外線光が当たらないため、反対側の斜面の撥インキ性が維持される。
【００４７】
以上の工程を経て、図１に示す印刷用版１３を得ることができる。
【００４８】
このように形成した印刷用版１３においては、凸部４の表面全体が撥インキ性ではなく、凸部４の表面のほぼ半分に親インキ性の部分が存在し、また、凸部４の表面に三角プリズム状の凸条７を複数も受けることにより凸部４の表面の面積が増大している。この印刷用版１３を用いてブランケットからインキを除去すると、凸部４の表面に接触したブランケット上のインキは、欠陥無く凸部表面に転写された。また、凸部表面のほぼ半分が撥インキ性であるため、凸部４の表面にブランケットから転写されたインキは、粘着ローラを用いて印刷用版１３から容易に除去することができた。したがって、印刷用版１３を用いて連続印刷が可能となることが確認された。
【００４９】
（実施例２）
図４は、実施例２に係る印刷用版の製造方法を示す断面図である。本実施例に係る製造方法では、金型２３に代えて図２（ａ）に示したプリズムシート金型２０を用い、紫外線透過性を有する透明な支持基材１２を積層した後に紫外線硬化樹脂３０を硬化させる。図２で説明したように、プリズムシート金型２０は、金属板の表面に断面が三角形である複数の溝（凸条）を切削加工等によってストライプ状に形成したものである。以下、本実施例に係る製造方法の詳細を説明する。
【００５０】
まず、図４（ａ）及び（ｂ）に示すように、プリズムシート金型２０に紫外線硬化樹脂３０を塗工した後、図４（ｃ）に示すように、透明な支持基材１２を紫外線硬化樹脂３０に密着させる。次に、図４（ｄ）に示すように、透明な支持基材１２上配置した露光マスク４０を介して、紫外線硬化樹脂３０に紫外線を照射する。この露光マスク４０は、印刷用版の凸部４に対応する領域に紫外線透過部を有すると共に、印刷用版の凸部４以外の部分に対応する領域に紫外線を遮光する遮光部４１を有する。次に、図４（ｅ）に示すように、紫外線照射後の紫外線硬化樹脂３０と支持基材１２とをプリズムシート金型２０から剥離する。図４（ｄ）に示した露光処理においては、紫外線硬化樹脂３０のうち、紫外線透過部で覆われた部分のみが露光されて硬化する。したがって、支持基材１２上には、紫外線硬化樹脂３０が硬化した露光部４２と、未硬化の未露光部４３とが形成される。次に、図４（ｆ）に示すように、未露光部４３を溶剤等で除去することによって、支持基材１２の表面に所望の凹凸パターンを構成する凸部４及び凹部５を形成すると共に、凸部４の表面に断面が三角形である複数の凸条７よりなる凹凸面６を形成する。
【００５１】
その後、実施例１と同様に撥インキ処理及びレーザ光による親インキ化処理を行なうことにより、凸部４の表面の凸条７の一方の斜面が撥インキ性で、もう一方の斜面が親インキ性である印刷用版１４を得ることができる。
【００５２】
実施例２に係る印刷用版１４は、実施例１に係る印刷用版１３と同様に、反転オフセット印刷での使用時にブランケット上のインキを欠陥なく凸部４に転写できた。また、凸部４に転写されたインキは粘着ローラ等を用いて容易に除去することができ、印刷用版１４が連続印刷に適することが確認された。
【００５３】
（実施例３）
図５は、実施例３に係る印刷版の製造方法を示す断面図である。本実施例に係る製造方法では、熱可塑性樹脂に金型２３の凹凸形状を転写することによって印刷版１５を得る。以下、本実施例に係る製造方法の詳細を説明する。
【００５４】
まず、図５（ａ）及び（ｂ）に示すように、支持基材１２上に粘着剤１１を介して熱可塑性樹脂５０を積層した後、熱可塑性樹脂５０を加熱した金型２３に押し付ける。次に、図５（ｃ）に示すように、金型２３から熱可塑性樹脂５０を剥離することによって、熱可塑性樹脂５０の表面に所望の凹凸パターンを構成する凸部４及び凹部５を形成すると共に、凸部４の表面に断面が三角形である複数の凸条７よりなる凹凸面６を形成する。
【００５５】
その後、実施例１と同様に撥インキ処理及びレーザ光による親インキ化処理を行なうことにより、凸部４の表面の凸条７の一方の斜面が撥インキ性で、もう一方の斜面が親インキ性である印刷用版１５を得ることができる。
【００５６】
実施例３に係る印刷用版１５は、実施例１に係る印刷用版１３と同様に、反転オフセット印刷での使用時にブランケット上のインキを欠陥なく凸部４に転写できた。また、凸部４に転写されたインキは粘着ローラ等を用いて容易に除去することができ、印刷用版１５が連続印刷に適することが確認された。
【００５７】
（比較例）
図６は、比較例に係る印刷版の製造方法を示す断面図である。比較例に係る印刷用版６４は、凸部４の表面に断面が三角形の凸条を設けず、かつ、凸部４の表面全体を親インキ性としたものである。以下、比較例の詳細を説明する。
【００５８】
まず、図６（ａ）に示すように、仮支持基材６１に金属薄膜６０を形成した後、金属薄膜６０上にレジスト６２を形成する。次に、図６（ｂ）に示すように、レジスト６２上に撥インキ性材料６３を積層して、レジスト６２の凹部（すなわち、金属薄膜６０上のレジスト６２のない部分）を撥インキ性材料６３で埋め込んだ後、撥インキ性材料６３上に支持基材１２を積層して加熱することにより、撥インキ性材料６３を硬化させる。次に、図６（ｃ）及び（ｄ）に示すように、仮支持基材６１及び金属薄膜６０を除去して、凸部４の表面を露出させ、露出した凸部４の表面に紫外線を照射することにより凸部４の表面を親インキ性に改質した。その後、図６（ｅ）に示すように、レジスト６２を除去することにより、印刷用版６４を得た。
【００５９】
このように形成した印刷用版６４を反転オフセット印刷に用いて、ブランケット上のインキを除去すると、凸部４の表面全体が親インキ性となっているため、凸部４の表面に接触したブランケット上のインキは、欠陥無く凸部４の表面に転写された。しかしながら、凸部４の表面にブランケットから転写されたインキは、粘着ローラを用いて除去しても、部分的に凸部４の表面に残っていることが認められた。
【００６０】
以上の実施例１〜３及び比較例より、凸部４の表面に断面が三角形の複数の凸条７を設け、凸条７の一方の斜面を撥インキ性とし、他方の斜面を親インキ性とすることによって、ブランケットからインキを確実に転写することができ、更に、凸部４に転写されたインキの除去も容易であることを確認できた。
【産業上の利用可能性】
【００６１】
本発明は、反転オフセット印刷に利用できる。特に、本発明は、反転オフセット印刷により、電子部品の配線や絶縁層などのパターンを形成するのに有効である。
【符号の説明】
【００６２】
４…凸部
５…凹部
６…凹凸面
７…凸条
１０…樹脂
１１…粘着剤
１２…支持基材
１３…印刷用版
１４…印刷用版
１５…印刷用版
２０…プリズムシート金型
２１…めっきレジスト
２２…ニッケルめっき
２３…金型
３０…紫外線硬化樹脂
４０…露光マスク
４１…遮光部
４２…露光部
４３…未露光部
５０…熱可塑性樹脂
６０…金属薄膜
６１…仮支持基材
６２…レジスト
６３…撥インキ性材料
６４…印刷用版
【図１】
2015189163.tif 000003
【図２】
2015189163.tif 000004
【図３】
2015189163.tif 000005
【図４】
2015189163.tif 000006
【図５】
2015189163.tif 000007
【図６】
2015189163.tif 000008